(57)【要約】【課題】一対の破砕ローラ間の押圧を安定して行うことのできる破砕装置を提供する。【解決手段】破砕装置１は、固定ローラ３ａと揺動ローラ３ｂからなる一対の破砕ローラ３と、揺動ローラ３ｂを回転可能に支持する支持部６と、支持部６を揺動軸Ｃ２を中心に揺動自在に保持する枠体４と、支持部６を揺動させるための揺動機構７と、を備える。揺動機構７は、支持部６に回転可能に支持されたカム軸と、カム軸の回転軸に対して偏心した偏心カムと、偏心カムを回転自在に保持する保持部７４と、を備え、保持部７４は枠体４に固定されている。偏心カムを回転させると、支持部６は揺動軸Ｃ２を中心に枠体４に対して揺動し、揺動ローラ３ｂを固定ローラ３ａに近接する方向又は固定ローラ３ａから離隔する方向に移動させる。【選択図】図１
2019018119.tif 000002
【特許請求の範囲】
【請求項１】
固定ローラと揺動ローラからなる一対の破砕ローラと、
前記揺動ローラを回転可能に支持する支持部と、
前記支持部を揺動軸を中心に揺動自在に保持する枠体と、
前記支持部を揺動させるための揺動機構と、を備え、
前記揺動機構は、前記支持部に回転可能に支持されたカム軸と、前記カム軸の回転軸に対して偏心した偏心カムと、前記偏心カムを回転自在に保持する保持部と、を備え、前記保持部は前記枠体に固定され、
前記偏心カムを回転させると、前記支持部は前記揺動軸を中心に前記枠体に対して揺動し、前記揺動ローラを前記固定ローラに近接する方向又は前記固定ローラから離隔する方向に移動させることを特徴とする破砕装置。
【請求項２】
固定手段を更に備え、
前記偏心カムには、前記偏心カムと一体に回転するハンドルが設けられ、
前記ハンドルは前記固定手段により前記保持部に着脱可能に固定されることを特徴とする請求項１に記載の破砕装置。
【請求項３】
前記ハンドルは前記固定手段としての固定ピンを有し、
前記保持部には目盛板が設けられ、
前記目盛板には複数個の目盛孔が設けられ、
前記ハンドルは、前記固定ピンが何れかの目盛孔に挿入されることによって、前記目盛板を介して前記保持部に固定されることを特徴とする請求項２に記載の破砕装置。
【発明の詳細な説明】
【技術分野】
【０００１】
本発明は、籾殻などのバイオマス原料を破砕する破砕装置に関する。
【背景技術】
【０００２】
従来より、籾殻などのバイオマス原料を反対方向に回転する一対の破砕ローラにより破砕する破砕装置が提案されている（例えば、特許文献１参照）。この破砕装置では、一方の破砕ローラが他方の破砕ローラに対して揺動可能とされており、一方の破砕ローラを圧縮バネの圧縮力により他方の破砕ローラに押圧させている。
【先行技術文献】
【特許文献】
【０００３】
【特許文献１】特開２００７−６８４９９号公報
【発明の概要】
【発明が解決しようとする課題】
【０００４】
しかしながら、バネの圧縮力により一方の破砕ローラを他方の破砕ローラに押圧させる構成では、安定した押圧力を破砕ローラ間に付与するのが難しかった。そして、一対の破砕ローラ間の押圧力が変動すると、破砕率も変動し、原料を均一に破砕することができないという問題があった。  
そこで本発明は、一対の破砕ローラ間の押圧を安定して行うことのできる破砕装置の提供を目的とする。
【課題を解決するための手段】
【０００５】
本発明の請求項１に記載の破砕装置は、固定ローラと揺動ローラからなる一対の破砕ローラと、前記揺動ローラを回転可能に支持する支持部と、前記支持部を揺動軸を中心に揺動自在に保持する枠体と、前記支持部を揺動させるための揺動機構と、を備え、前記揺動機構は、前記支持部に回転可能に支持されたカム軸と、前記カム軸の回転軸に対して偏心した偏心カムと、前記偏心カムを回転自在に保持する保持部と、を備え、前記保持部は前記枠体に固定され、前記偏心カムを回転させると、前記支持部は前記揺動軸を中心に前記枠体に対して揺動し、前記揺動ローラを前記固定ローラに近接する方向又は前記固定ローラから離隔する方向に移動させることを特徴とする。
【０００６】
本発明の請求項２に記載の破砕装置は、固定手段を更に備え、前記偏心カムには前記偏心カムと一体に回転するハンドルが設けられ、前記ハンドルは前記固定手段によって前記保持部に着脱可能に固定されることを特徴とする破砕装置。
【０００７】
本発明の請求項３に記載の破砕装置は、前記ハンドルは前記固定手段としての固定ピンを有し、前記保持部には目盛板が設けられ、前記目盛板には複数個の目盛孔が設けられ、前記ハンドルは、前記固定ピンが何れかの目盛孔に挿入されることによって、前記目盛板を介して前記保持部に固定されることを特徴とする。
【発明の効果】
【０００８】
本発明の請求項１に記載の破砕装置によれば、偏心カムを回転させることにより支持部を揺動させて、揺動ローラを固定ローラに近接する方向又は固定ローラから離隔する方向に移動させるので、圧縮バネを用いた従来の破砕装置と異なり、揺動ローラの固定ローラに対する押圧を安定的に行うことができる。
【０００９】
本発明の請求項２に記載の破砕装置によれば、偏心カムと一体に回転するハンドルが設けられ、このハンドルは固定手段によって保持部に着脱自在に固定される。よって、固定手段を用いてハンドルを保持部に固定させることで、偏心カムの位相を容易に保持することができ、揺動ローラの位置を容易に一定に保つことができる。
【００１０】
本発明の請求項３に記載の破砕装置によれば、ハンドルは、目盛板のいずれかの目盛孔に挿入された固定ピンにより目盛板を介して保持部に固定されるので、ハンドルの保持部に対する固定を容易に行うことができ、また揺動ローラの固定ローラに対する位置決め及び位置調整を容易に行うことができる。
【図面の簡単な説明】
【００１１】
【図１】（ａ）は本発明の実施形態に係る破砕装置を示す概略図、（ｂ）はハンドルを（ａ）に示す位置から１８０°旋回させた状態を示す図。
【図２】図１（ａ）のＩＩ―ＩＩ線拡大断面図。
【図３】図１の破砕装置が備える揺動機構の概略斜視図であり、（ａ）はカム軸が上端位置に位置する状態を示す図、（ｂ）はカム軸が下端位置に位置する状態を示す図。
【図４】図３に示す揺動機構を反対側からみた概略斜視図。
【発明を実施するための形態】
【００１２】
添付図面を参照して、本発明の実施形態に係る破砕装置について説明する。図１に示す様に、本実施形態の破砕装置１は、原料投入部２と、原料投入部２の下方に設けられた一対の破砕ローラ３と、一対の破砕ローラ３を収容する枠体４と、支持機構５と、を備える。
【００１３】
一対の破砕ローラ３は、固定ローラ３ａと揺動ローラ３ｂからなり、各破砕ローラ３の外周面にはＶ字形の溝３１（図２）が設けられ、図示しない駆動手段からの駆動力によって互いに逆方向に回転駆動される。固定ローラ３ａは所定位置において枠体４により回転可能に保持されている。揺動ローラ３ｂは支持機構５を介して枠体４に支持され、固定ローラ３ａに対して揺動可能とされている。
【００１４】
図２〜図４をも参照して、支持機構５は、揺動ローラ３ｂを支持する支持部６と、支持部６を支持する揺動機構７と、を備える。支持部６は、揺動ローラ３ｂを回転軸Ｃ１を中心に回転自在に支持する左右一対の支持板６１と、これら一対の支持板６１を相互に接続する接続部６２と、接続部６２と揺動機構７とを連結する連結部６３と、を有し、各支持板６１は揺動軸Ｃ２を中心に揺動自在に枠体４に支持されている。よって、支持部６（支持板６１）が揺動軸Ｃ２を中心に所定方向Ａ１に揺動すると、揺動ローラ３ｂは固定ローラ３ａに近づく方向に変位し、逆方向Ａ２に揺動すると揺動ローラ３ｂは固定ローラ３ａから離隔する方向に変位する。
【００１５】
揺動機構７は、支持部６の連結部６３に回転自在に支持されたカム軸７２と、カム軸７２の回転軸Ｃ３に対して偏心した偏心カム７３と、偏心カム７３を回転軸Ｃ４を中心に回転自在に保持する保持部７４と、を備え、保持部７４は枠体４に固定されている。偏心カム７３にはハンドル７５が設けられ、偏心カム７３はハンドル７５と一体的に回転軸Ｃ４を中心に回転する。かかる構成により、ハンドル７５を回転させると偏心カム７３は回転軸Ｃ４を中心に回転し、これに伴いカム軸７２は支持部６の連結部６３と共に上下方向（矢印Ｄ１方向）に移動する。
【００１６】
本実施形態においては、ハンドル７５が図１（ａ）及び図３（ａ）に示す位置にあるとき、カム軸７２は上端位置に位置し、よって揺動ローラ３ｂの固定ローラ３ａに対する押圧が最大となり、ハンドル７５が図１（ａ）及び図３（ｂ）に示す位置にあるとき、カム軸７２は下端位置に位置し、よって揺動ローラ３ｂの固定ローラ３ａに対する押圧が最小となる。
【００１７】
また、ハンドル７５は固定ピン７７を有する。この固定ピン７７はハンドル７５に設けられた挿通孔７５ａに挿通されており、固定手段として機能する。保持部７４には目盛板７６が固定されて設けられ、この目盛板７６には複数の目盛孔７６ａが設けられている。目盛孔７６ａはハンドル７５の回転時に挿通孔７５ａ（固定ピン７７）が辿る軌跡に沿って配列されており、固定ピン７７を何れかの目盛孔７６ａに挿入させることにより、ハンドル７５は所定位置に保持される。
【００１８】
このように、本実施形態では、揺動ローラ３ｂの固定ローラ３ａに対する揺動を偏心カム７３を用いて行うので、圧縮バネを用いた従来の構成と比較して揺動ローラ３ｂの固定ローラ３ａに対する押圧を安定的に行うことができる。
【００１９】
また、偏心カム７３（ハンドル７５）の回転に伴う揺動ローラ３ｂの揺動量、即ち上下方向Ｄ１におけるカム軸７２及び連結部６３の移動量は、カム軸７２の回転軸Ｃ３に対する偏心カム７３の回転軸Ｃ４の偏心量によって決まるので、当該偏心量を調整することによって、揺動ローラ３ｂのミリ単位の微細な揺動量の調整をも簡単に行うことができる。
【００２０】
以上、本発明の実施形態に係る破砕装置について添付の図面を参照して説明したが、本発明はかかる実施形態に限定されず、本発明の範囲を逸脱することなく種々の変形、修正が可能である。
【００２１】
例えば、上記実施形態においては、固定ピン７７によりハンドル７５が目盛板７６を介して保持部７４に固定されるが、ハンドル７５を保持部に７４に対して固定するための固定手段は固定ピン７７に限定されない。
【符号の説明】
【００２２】
１  破砕装置
３  粉砕ローラ
３ａ  固定ローラ
３ｂ  揺動ローラ
４  枠体
６  支持部
７  揺動機構
７２  カム軸
７３  偏心カム
Ｃ２  揺動軸
【図１】
2019018119.tif 000003
【図２】
2019018119.tif 000004
【図３】
2019018119.tif 000005
【図４】
2019018119.tif 000006